(57)【要約】【課題】生コンクリートが付着しても、再利用が容易な型枠支持用ジャッキを提供すること。【解決手段】型枠支持用ジャッキ１は、ジャッキ本体がラチェット機構５により回転されることで第１及び第２の連結手段の長さが調節される。ラチェット機構５は、ラチェット用歯車５１と、回動可能な支持部５２と、支持部に傾動可能に枢着されたラチェット爪５４と、スプリング５５を備える。スプリング５５は、一端がラチェット爪５４の係止孔部５４ｆに、他端がハンドル５６の係止凹部５６ａに嵌入されて支持され、傾動された方向にラチェット爪５４を付勢する。スプリング５５は、コンクリートの付着物を除去する際に破壊、変形されても容易に着脱・交換でき、型枠支持用ジャッキ１は容易に再利用できる。【選択図】　　　図２
2004027549.tif 000002
【特許請求の範囲】
【請求項１】
両端部の筒状部分内部において互いに逆向きの雌ねじが形成された第１の螺入部及び第２の螺入部が配設されたジャッキ本体と、
先端側に連結部が形成され、基端側に雄ねじを備えた螺合部が形成され前記第１の螺入部及び第２の螺入部にそれぞれ螺入されて変位可能な第１の連結手段及び第２の連結手段と、
前記ジャッキ本体に設けられた本体回転用のラチェット機構とを備え、前記ラチェット機構により前記ジャッキ本体を回転させることで前記連結部間の間隔を変化可能に構成された型枠支持用ジャッキであって、
前記ラチェット機構は、前記ジャッキ本体に固定されたラチェット用歯車と、前記歯車に対して相対回動可能な支持部と、当該支持部に枢着され傾動することで前記ラチェット用歯車に係止し若しくは係止を解除するラチェット爪と、一端が前記ラチェット爪に、他の一端が前記支持部に支持されて傾動された当該ラチェット爪を一方に付勢する弾性部材からなる付勢手段とから構成されることを特徴とする型枠支持用ジャッキ。
【請求項２】
前記付勢手段は、前記弾性部材が前記支持部若しくは前記ラチェット爪の少なくとも一方に設けられた凹部において支持されることを特徴とする請求項１に記載の型枠支持用ジャッキ。
【請求項３】
前記弾性部材は、圧縮コイルスプリングから構成されたことを特徴とする請求項１又は請求項２に記載の型枠支持用ジャッキ。
【請求項４】
前記凹部は、開口部側が底部より大きな断面積となるように形成されていることを特徴とする請求項２又は請求項３に記載の型枠支持用ジャッキ。
【発明の詳細な説明】
【０００１】
【発明の属する技術分野】
本発明は型枠支持用ジャッキに係り、詳しくはトンネル施工に使用する型枠を支持するのに好適な型枠支持用ジャッキに関するものである。
【０００２】
【従来の技術】
従来よりトンネル施工においては、図５に示すように、断面円弧状に形成されたトンネル穴１１に周壁１２が形成されるとともに、トンネル穴１１の底面には路盤１３が形成される。路盤１３上にはトンネル穴１１の延びる方向に沿って一対のレール１４が敷設され、一対のレール１４上をコの字型の支持フレーム１５が移動するようになっている。そして、支持フレーム１５の外面には複数のジャッキ支持部１６が突出形成される。また、周壁１２の内側には、同周壁１２に沿って断面円弧状に形成された複数の型枠１７が設けられ、各型枠１７は支持フレーム１５の各ジャッキ支持部１６に一端がそれぞれ連結された型枠支持用ジャッキ１８により支持されている。各型枠１７と周壁１２との間には隙間１９が形成され、各型枠１７には隙間１９に生コンクリートを流し込むための流入孔１０が形成されている。
【０００３】
ここで、型枠支持用ジャッキ１８は、ジャッキ本体が有底円筒状に形成され、その内部に螺入された支持手段が回転されて長さが調整されるように構成されていた。そして、操作性を高めるため例えば実開平７−３８４５５号公報に記載した型枠支持用ジャッキのようにジャッキ本体の両端に第１ねじ軸及び第２ねじ軸を螺入し本体を回転することで型枠支持用ジャッキ全体の長さを調整するものが提案された。さらに、本体の回転を容易にするためラチェット機構を備えたものが提案された。ここで、図６（Ａ）〜（Ｃ）は、従来の型枠支持用ジャッキ用のラチェット機構を示す図である。ラチェット機構においては、ラチェット爪を回転方向に合わせた方向に付勢する必要が生じる。そこで、図６（Ａ）に示すラチェット機構Ａのように、筒状の支持部材Ａ１の内部に、先端が尖ったピストン状のノッチＡ２を摺動可能に嵌入し、その間にスプリングＡ３を配置する。このスプリングＡ３でこのノッチＡ２を付勢して、傾動軸Ａ４に枢着されたラチェット爪Ａ５に当接させて、ラチェット爪Ａ５を右向き若しくは左向きに付勢することでラチェット爪Ａ５をラチェット用歯車（不図示）に係止させるものであった。このようなノッチＡ２やスプリングＡ３が内蔵されたものでは、外部からの異物が進入しにくいという特徴があった。
【０００４】
また、図６（Ｂ）に示すラチェット機構Ｂのように、棒状の支持部材Ｂ１の先端部に配置された細長矩形板状の板バネＢ２の一端が支持部材Ｂ１の先端部の側部に固定部材Ｂ３により固定される。そして、板バネＢ２が湾曲されて他端が支持部材Ｂ１の対向する位置で長穴Ｂ４が固定軸Ｂ５により任意の位置で固定される。そのため、図６において上下方向に撓むように構成されている。そして、この板バネＢ２を傾動軸Ｂ６に枢着されたラチェット爪Ｂ７に当接させて、ラチェット爪Ｂ７を右向き若しくは左向きに付勢することでラチェット爪Ｂ７をラチェット用歯車（不図示）に係止させるものであった。
【０００５】
さらに、図６（Ｃ）に示すラチェット機構Ｃのように、棒状の支持部材Ｃ１の先端部に配置された細長矩形板状の板バネＣ２が、断面形状が中央部が上方に突出するような門形に形成され、上端部はＲが付けられる。水平部分は支持部材Ｃ１の上端と所定の間隔が空けられる。断面門形に形成された板バネＣ２の下端部に設けられた長穴Ｃ３、Ｃ４が、固定軸Ｃ５，Ｃ６により任意の位置で固定される。そして、この板バネＣ２を傾動軸Ｃ７に枢着されたラチェット爪Ｃ８に当接させて、ラチェット爪Ｃ８を右向き若しくは左向きに付勢することでラチェット爪Ｃ８をラチェット用歯車（不図示）に係止させるものであった。
【０００６】
例えば型枠支持用ジャッキ１８のような型枠支持用ジャッキは、流入孔１０から各型枠１７と周壁１２との間の隙間１９に流し込まれた生コンクリートを各型枠１７を介して支持する必要がある。この流し込まれた生コンクリートは流動性が高く、生コンクリートの流し込みに際して漏出が生じたり、各型枠１７の間隙から漏出を生じたりすることがある。このように生コンクリートの漏出が生じると、型枠支持用ジャッキ１８に液体の生コンクリートが付着してしまうことがある。型枠支持用ジャッキ１８は隙間１９に流し込まれた生コンクリートが固化するまで支持する必要があるため、型枠支持用ジャッキ１８に付着した生コンクリートも、同様に固化してしまう。型枠支持用ジャッキ１８は隙間１９に流し込まれた生コンクリートが固化した後は回収されて、再利用される。このように型枠支持用ジャッキ１８に付着し固化した生コンクリートは、型枠支持用ジャッキ１８の再利用の妨げとなるため、例えば、鋼球からなるショットを高速で吹きつけて固化したコンクリートを除去していた。
【０００７】
【発明が解決しようとする課題】
しかしながら、上記のようなラチェット機構に付着した固化した生コンクリートを、ショットを吹き付け完全に除去しようとすると次のような問題がある。すなわち、板バネＢ２やＣ２やこれを固定している固定部材Ｂ３、固定軸Ｂ４，Ｃ５，Ｃ６など比較的精密な部品を破壊、変形してラチェット機構を損なってしまうばかりか、型枠支持用ジャッキ自体が再利用出来ないという問題があった。また、ラチェット機構Ａのように生コンクリートが付着しないようにノッチＡ２やスプリングＡ３を支持部材Ａ１に内蔵するものもある。この場合はショットによってはスプリングＡ３などは破壊されないが、支持部材Ａ１とノッチＡ２の隙間にショットが挟まり噛んで動かなくなってしまい再利用が出来なくなるという問題があった。
【０００８】
本発明は上記課題を解決するため、生コンクリートが付着しても、再利用が容易な型枠支持用ジャッキを提供することを目的とする。
【０００９】
【課題を解決するための手段】
上記課題を解決するため、請求項１に記載の型枠支持用ジャッキでは、両端部の筒状部分の内部において互いに逆向きの雌ねじが形成された第１の螺入部及び第２の螺入部が配設されたジャッキ本体と、先端側に連結部が形成され、基端側に雄ねじを備えた螺合部が形成され前記第１の螺入部及び第２の螺入部にそれぞれ螺入されて変位可能な第１の連結手段及び第２の連結手段と、前記ジャッキ本体に設けられた本体回転用のラチェット機構とを備え、前記ラチェット機構により前記ジャッキ本体を回転させることで前記連結部間の間隔を変化可能に構成された型枠支持用ジャッキであって、前記ラチェット機構は、前記ジャッキ本体に固定されたラチェット用歯車と、前記歯車に対して相対回動可能な支持部と、当該支持部に枢着され傾動することで前記ラチェット用歯車に係止し若しくは係止を解除するラチェット爪と、一端が前記ラチェット爪に、他の一端が前記支持部に支持されて傾動された当該ラチェット爪を一方に付勢する弾性部材からなる付勢手段とから構成されることを要旨とする。
【００１０】
請求項２に記載の型枠支持用ジャッキでは、請求項１に記載の型枠支持用ジャッキの構成に加え、前記付勢手段は、前記弾性部材が前記支持部若しくは前記ラチェット爪の少なくとも一方に設けられた凹部において支持されることを要旨とする。
【００１１】
請求項３に記載の型枠支持用ジャッキでは、請求項１又は請求項２に記載の型枠支持用ジャッキの構成に加え、前記弾性部材は、圧縮コイルスプリングから構成されたことを要旨とする。
【００１２】
請求項４に記載の型枠支持用ジャッキでは、請求項２又は請求項３に記載の型枠支持用ジャッキの構成に加え、前記凹部は、開口部側が底部より大きな断面積となるように形成されていることを特徴とする。
【００１３】
【発明の実施の形態】
以下、本発明の型枠支持用ジャッキを具体化した一実施形態である型枠支持用ジャッキ１を図１〜図４に従って説明する。
【００１４】
図１は、型枠支持用ジャッキ１の正面図である。図２は、ラチェット爪５４が中立位置にある図１のＡ−Ａ線に沿った型枠支持用ジャッキ１の断面図である。型枠支持用ジャッキ１は、円筒状の部材であって、両端部の筒状部分内部において互いに逆向きの雌ねじが形成された第１の螺入部２１及び第２の螺入部２２が配設されたジャッキ本体２を備える。
【００１５】
ジャッキ本体２は、全体が概ね円筒形状の鉄製の筒部２０を備えるが、その長さや径は、図５に示すように使用される部位に合わせて様々な種類が用いられる。筒部２０の長手方向の一方（図１右方向）の端部から、ジャッキ本体２の中心軸に沿って、中心部近傍まで外形のおよそ２分の１の内径の孔が穿設される。この孔の内部には右ねじの雌ねじが刻設されて第１の螺入部２１が形成されている。
【００１６】
また、図１左方向からは、同様に第２の螺入部２２が形成されるが、第２の螺入部２２に刻設された雌ねじは、第１の螺入部２１とは逆の左ねじとなっている。
【００１７】
第１の螺入部２１には、第１の連結手段３が螺入される。第１の連結手段３は、全体が概ね円柱形で、先端側（図１右側）が板状の連結部３１に形成されている。連結部３１には、連結用の孔３３が穿設される。連結用の孔３３により、図５に示す型枠１７に設けられた孔にボルト及びナットで固定される。
【００１８】
また、第１の連結手段３の基端側（図１左側）には、雄ねじが刻設された螺合部３２が形成される。螺合部３２に形成された雄ねじは右ねじで第１の螺入部２１に螺入し、ジャッキ本体２を図１右手方向から見て右回転させると、二点鎖線で示す第１の連結手段３は、ジャッキ本体２に対して先端側（図１左側）に相対変位し、実線で示す位置に変位する。
【００１９】
また、螺合部３２の基部には、右ねじナット２３が環装される。この右ねじナット２３は、ジャッキ本体２が第１の連結手段３に対して不用意に回転しないように固定するロック用のナットである。
【００２０】
第２の螺入部２２には、第２の連結手段４が螺入される。第２の連結手段４は、全体が概ね円柱形で、先端側（図１左側）が板状の連結部４１に形成される。連結部４１には、連結用の孔４３が穿設される。連結用の孔４３により、図５に示す支持フレーム１５の外面に配置されたジャッキ支持部１６に設けられた孔にボルト及びナットで固定される。
【００２１】
また、第２の連結手段４の基端側（図１右側）には、雄ねじが刻設された螺合部４２が形成される。螺合部４２に形成された雄ねじは螺合部３２と異なり左ねじとして形成されている。また、螺合部４２の基部には、左ねじナット２４が環装される。この左ねじナット２４は、ジャッキ本体２が第２の連結手段４に対して不用意に回転しないように固定するロック用のナットである。従って、実線で示す第２の螺入部２２に螺入された第２の連結手段４は、図１右手方向から見てジャッキ本体２を右回転させると、ジャッキ本体２に対して先端側（図１左側）の二点鎖線の位置に相対変位する。
【００２２】
つまり、ジャッキ本体２を図１右手方向から見て右回転すると、第１の連結手段３は右方向に変位し、第２の連結手段は左方向に変位する。従って、連結部３１と連結部４１は離間するように変位する。逆に、ジャッキ本体２を図１右手方向から見て左回転すると、第１の連結手段３は左方向に変位し、第２の連結手段は右方向に変位する。従って、連結部３１と連結部４１は近接するように変位する。そのため、ジャッキ本体２を回転させることで、型枠支持用ジャッキ１の長さを調節して、その両端の連結部３１，４１に連結された型枠１７、ジャッキ支持部１６との間の圧力を調整することができる。
【００２３】
ジャッキ本体２には、本体を回転させるための回転用のラチェット機構５を備える。ラチェット機構５は、ジャッキ本体２に固定されたラチェット用歯車５１と、この歯車に対して相対回動可能な支持部５２と、この支持部５２に傾動軸５３により枢着され傾動するラチェット爪５４を備える。ラチェット爪５４は、ラチェット用歯車５１に係止し若しくは係止を解除する。また、一端がラチェット爪５４の下部に、他の一端が支持部５２の一部を構成するハンドル５６の上部にスプリング５５が支持される。スプリング５５は、ラチェット爪５４を一方に付勢する弾性部材からなる付勢手段である。
【００２４】
ラチェット機構５は、ジャッキ本体２の長手方向中央部に設けられる。ラチェット機構５は、ラチェット用歯車５１、支持部５２、ハンドル５６、傾動軸５３、スプリング５５から構成される。ラチェット用歯車５１は、ジャッキ本体２の長手方向の略中央に配置され、筒部２０と一体に形成される。筒部２０の外周に矩形の係止用の歯が配設される。
【００２５】
支持部５２は、支持部材５２ａと支持部材５２ｂとハンドル５６とから構成され、筒部２０のラチェット用歯車５１の図１右側に隣接して支持部材５２ａと左側に隣接して支持部材５２ｂとが配設される。図２に示すように支持部材５２ａ，５２ｂは、円盤状部分と台形部分が組み合わさった概ね鍵穴形状の鉄製の板状部材で、円盤状の部分に筒部２０が挿入される孔が形成されている。この孔に筒部２０が挿入され、ラチェット用歯車５１の左右に環装され、ラチェット用歯車５１の歯を隠すように配置される。この支持部材５２ａ，５２ｂの下端部には、厚みがラチェット用歯車５１よりやや厚い棒状のハンドル５６が支持部材５２ａ，５２ｂに固定され、外周方向に延設される。従って、この支持部材５２ａ、５２ｂ、ハンドル５６は、ラチェット用歯車５１に対して一体となって相対的に回動自在となっている。
【００２６】
また、支持部材５２ａ，５２ｂの台形部分の略中央部にはジャッキ本体２の長手方向に傾動軸５３が貫通されて配置される。支持部材５２ａ，５２ｂの間には、この傾動軸５３に傾動可能に枢着されたラチェット爪５４が配設される。ラチェット爪５４は、全体としては板状部材であり、図２に示す中立位置において、傾動軸５３に支持された孔５４ａから左斜め４５°上方に延設された左腕５４ｂと右斜め４５°上方に延設された右腕５４ｃを備える。左腕５４ｂの上端部は中立位置においてラチェット用歯車５１から離間して山形の左爪５４ｄが形成される。同様に、右腕５４ｃの上端部は中立位置においてラチェット用歯車５１から離間して山形の右爪５４ｅが形成される。
【００２７】
ラチェット爪５４の図２下部には、スプリング５５を嵌入する係止孔部５４ｆが設けられる。また、ハンドル５６の上端部には係止凹部５６ａが設けられる。そして、係止孔部５４ｆに上端部を、係止凹部５６ａに下端部を支持されてスプリング５５が配置される。
【００２８】
本発明の弾性部材の一例であるスプリング５５は、鋼製の圧縮コイルスプリングからなり、その自由長は、係止孔部５４ｆの底部と係止凹部５６ａの底部の間隔のおよそ１．５倍の長さである。係止孔部５４ｆの内径は、開口部と底部は略同一で、スプリング５５の外径と略同一である。そのため、スプリング５５を係止孔部５４ｆに圧縮して嵌入するとその弾性反発力で両端が係止孔部５４ｆの底部と係止凹部５６ａの底部に付勢されて当接されるため、安定して支持される。一方、係止凹部５６ａは、底部は略スプリング５５の外径と略同一の内径を有する。係止凹部５６ａの開口部の内径は、ジャッキ本体２の長手方向には、スプリング５５の外径より若干大きく、幅方向は、図２に示すように底部から開口部に向かって大きくなるように形成される。
【００２９】
このように構成されたラチェット機構の作用について説明する。図２に示すラチェット爪５４の中立位置では、スプリング５５の付勢力は、傾動軸５３に向かう力Ｆ１として作用するため、ラチェット爪５４は中立位置を維持する。次に、図３は、ラチェット爪５４が左回りに傾動した状態を示す図１のＡ−Ａ線に沿った型枠支持用ジャッキ１の断面図である。図２に示す中立状態から、ラチェット爪５４の右腕５４ｃを指先で上方に押すと、スプリング５５が図２において逆「く」の字状に変形し、付勢力が図２において傾動軸５３より右方向に変位する。そうするとスプリング５５の付勢力は、ラチェット爪５４を図２において傾動軸５３を中心に左回転させるモーメントＦ２となり、右爪５４ｅがラチェット用歯車５１に押しつけられるように付勢される。このため、右爪５４ｅがラチェット用歯車５１の底部５１ｂにある場合は、この底部５１ｂから右爪５４ｅが離れない方向に付勢される。
【００３０】
支持部材５２ａ，５２ｂは、ジャッキ本体２の周囲に環状部分が環装されているため、ハンドル５６、支持部材５２ａ，５２ｂは、ラチェット用歯車５１に対して相対的に回動するように変位する。ここで、説明のため、ラチェット用歯車５１は回転せず、位置が固定されているものと仮定して説明する。ハンドル５６を図３において右回転（時計回り）させると、ラチェット爪５４の右爪５４ｅの左側の右腕５４ｃの上部が、ラチェット用歯車５１の頂部５１ａに当接する。さらにハンドル５６を右回転させると、右腕５４ｃがラチェット用歯車５１の頂部５１ａに押し上げられ、ラチェット爪５４が傾動軸５３を中心に右向きに傾動し、右爪５４ｅが頂部５１ａに乗り上げる。そして、さらにハンドル５６を右回転すると、右爪５４ｅが再び隣接する底部５１ｂに落とし込まれる。この状態では、右爪５４ｅは今乗り越えた頂部５１ａに再び乗り上げることはできず、ハンドル５６は、左回転できない。
【００３１】
つまり、ハンドル５６を同じ位置で繰り返し左右に揺動する上述のような動作を行えば、ラチェット用歯車５１は、ハンドル５６に対して相対的に左回転することになる。そのため、第１の連結手段３、第２の連結手段４に大きな押圧力が掛かって回転しにくく、ハンドル５６が一回転できないような狭いスペースでの作業でも、容易にラチェット用歯車５１を回転させて長さを調節することができる。
【００３２】
ラチェット爪５４下部の係止孔部５４ｆとハンドル５６の係止凹部５６ａの間に配置されたスプリング５５は、上述のようにラチェット爪５４が傾動した状態でも、係止孔部ｆからはずれることがない。また、係止凹部５６ａは、開口部が広く形成されているため、スプリング５５が係止孔部５４ｆが右に変位したときに、これに合わせて逆くの字に変形してラチェット爪５４を傾動軸５３を中心に左回転する方向に付勢し、この姿勢を保ったまま付勢力を維持する。
【００３３】
また、図４は、ラチェット爪５４が右回りに傾動した状態を示す図１のＡ−Ａ線に沿った型枠支持用ジャッキ１の断面図である。図４に示すように、ラチェット爪５４の左腕５４ｂを押圧すると、スプリング５５は、くの字状に変形してＦ３のモーメントを発生してラチェット爪５４は、右回転するように傾動して、その姿勢を維持する。この場合は、ハンドル５６を左右に揺動することでラチェット用歯車５１が右回転する。
【００３４】
このスプリング５５は、ラチェット爪５４下部の係止孔部５４ｆとハンドル５６の係止凹部５６ａの間に圧縮されて挿入され、スプリング５５自体の弾性力で保持されており、端部が溶接や接着剤で固定されている訳ではない。そのため、スプリング５５は変形させることで容易に取り外すことができる。
【００３５】
本実施形態の型枠支持用ジャッキ１では、上述のように構成されているため、以下のような特徴がある。
○　型枠の支持に使用した型枠支持用ジャッキ１は、前述のように生コンクリートが付着し、固化している場合がある。このような場合、前述のように鋼球からなるショットを高速で吹き付けることでこれを除去する。本実施形態の型枠支持用ジャッキ１のラチェット機構では、板バネやこれを固定する部品がなく、比較的肉厚の鉄製のラチェット用歯車５１、支持部材５２ａ，５２ｂ、傾動軸５３、ラチェット爪５４、ハンドル５６などから構成されている。そのため、ショットによっては破壊、変形することがないという効果がある。
【００３６】
○　また、これらに比較すれば比較的耐久性がないが、板バネなどに比較すれば比較的耐久性があるスプリング５５は、ショットによっては破壊、変形されにくいという効果がある。
【００３７】
○　また、もし破壊、変形した場合でもスプリング５５のみを交換するだけで、極めて容易に元の機能を復活させることができる。従って、型枠支持用ジャッキ１自体を交換するような必要が生じないという効果がある。
【００３８】
○　さらに、ラチェット用歯車５１、支持部材５２ａ，５２ｂ、傾動軸５３、ラチェット爪５４などの隙間にショットが挟まったような場合でも、構造が平面的であるので、平らな鋼製の薄板などで比較的簡単に除去できるという効果がある。
【００３９】
○　たとえ除去が困難な場合でも比較的簡単に分解できるため、詰まったショットも容易に除去できる。そのため、ショットの詰まりにより型枠支持用ジャッキ１自体が使用できない状態になることがないという効果がある。
【００４０】
○　なお、本実施形態の型枠支持用ジャッキ１では、従来のラチェット機構と異なり、中立位置を維持することができるので、メンテナンスなどが容易になるという効果もある。
【００４１】
なお、上記実施形態は以下のように変更してもよい。
○　本実施形態ではスプリング５５は、係止孔部５４ｆ、係止凹部５６ａにより係止されているが、スプリング５５を係止するものとしては、これらに限定されず、例えば、コイルスプリングの内部に嵌入される係止凸部を設けたような構成であってもよい。
【００４２】
○　また、弾性部材はコイルスプリングに限らず、板バネなどを使用することができる。この場合は、係止孔部５４ｆ、係止凹部５６ａに代えて、スリット状の係止部が好適に使用できる。
【００４３】
○　また、弾性部材として、いわゆる筍バネなど他のスプリング類を使用することもできる。
○　スプリング５５の材質も、鋼製のバネ以外にも、他の金属や樹脂製のものが使用できる。さらに、スプリングによらず、圧縮や変形に対して弾性力により復元しようとするものであれば好適に使用できる。その他、型枠支持用ジャッキ１を構成する各部の大きさ、形状、材質などは、使用される環境などに対応して当業者が種々変更し、改良して使用できることは言うまでもない。
【００４４】
なお、上記実施形態及び別例から導かれる発明の構成及びその効果を以下に付記する。
（付記１）　前記弾性部材が前記支持部若しくは前記ラチェット爪の少なくとも一方に設けられた凸部において支持されることを特徴とする請求項１に記載の型枠支持用ジャッキ。このような構成であれば凹部と同様、容易に弾性部材を支持できるという効果がある。
（付記２）　前記弾性部材は、板バネから構成されたことを特徴とする請求項１、請求項２若しくは付記１に記載の型枠支持用ジャッキ。このような構成であれば、簡易な構成で低コストで生産できるという効果がある。
【００４５】
【発明の効果】
以上、詳述したように、本発明の型枠支持用ジャッキは、生コンクリートが付着、固化しても、容易に除去でき、容易に再利用することができるという効果がある。
【図面の簡単な説明】
【図１】型枠支持用ジャッキ１の正面図である。
【図２】ラチェット爪５４が中立位置にある図１のＡ−Ａ線に沿った型枠支持用ジャッキ１の断面図。
【図３】ラチェット爪５４が左回りに傾動した状態を示す図１のＡ−Ａ線に沿った型枠支持用ジャッキ１の断面図。
【図４】ラチェット爪５４が右回りに傾動した状態を示す図１のＡ−Ａ線に沿った型枠支持用ジャッキ１の断面図。
【図５】トンネル施工における型枠支持用ジャッキの使用方法を説明する図。
【図６】（ａ）従来の型枠支持用ジャッキのラチェット機構の一例を示す図。
（ｂ）従来の型枠支持用ジャッキのラチェット機構の他の例を示す図。
（ｃ）従来の型枠支持用ジャッキのラチェット機構のさらに他の例を示す図。
【符号の説明】
１…型枠支持用ジャッキ、２…ジャッキ本体、２１…第１の螺入部、２２…第２の螺入部、３…第１の連結手段、３１，４１…連結部、３２，４２…螺合部、４…第２の連結手段、５…ラチェット機構、５１…ラチェット用歯車、５１ａ…頂部、５１ｂ…底部、５２（５２ａ，５２ｂ、５６）…支持部、５２ａ，５２ｂ…支持部材、５４…ラチェット爪、５４ｆ…係止孔部、５５…スプリング、５６…ハンドル、５６ａ…係止凹部
【図１】
2004027549.tif 000003
【図２】
2004027549.tif 000004
【図３】
2004027549.tif 000005
【図４】
2004027549.tif 000006
【図５】
2004027549.tif 000007
【図６】
2004027549.tif 000008